(57)【特許請求の範囲】
【請求項１】
アウタケーシングにインナケーブルを摺動自由に挿通したコントロールケーブルの前記アウタケーシングを取付板に位置調節可能に固定する装置であって、前記アウタケーシングに固着された筒状のケーシングキャップと、前記取付板に回転および軸方向の移動不能に固定されて前記ケーシングキャップを収容する筒状のホルダとからなり、該ホルダの内周と前記ケーシングキャップの外周には一定の角度範囲において互いに干渉せず、該ケーシングキャップの回転により互いに係合する少なくとも一方が軸方向に複数条並んだ円弧条が形成され、該ケーシングキャップの外周に長さ方向の案内溝が形成されているとともに、前記ホルダには、弾性片により前記ケーシングキャップの外周に押し付けられ、該ケーシングキャップの回転により前記円弧条同士が係合した状態において前記案内溝に弾力により嵌入して該ケーシングキャップの回転を阻止する係止体が形成されていることを特徴とするコントロールケーブルのアウタケーシング端末固定装置。
【請求項２】
前記ホルダの外周と前記取付板の取付孔を非円形にして回転不能に嵌合し、かつ、前記ホルダの前記取付孔への挿入方向後端部の外周に鍔を形成するとともに、前記ホルダに、前記取付孔への挿入時に該取付孔の孔縁との係合により弾性変形して該ホルダの外周面内に退避する突起を前記鍔から前記取付板の厚さに相当する間隙をあけて設けたことを特徴とする請求項１記載のコントロールケーブルのアウタケーシング端末固定装置。
【請求項３】
前記弾性片の内面に、前記案内溝に挿入された係止解除棒により押されて前記係止体を弾力に抗して該案内溝から脱出させる斜面が形成されていることを特徴とする請求項１または請求項２記載のコントロールケーブルのアウタケーシング端末固定装置。
【請求項４】
前記弾性片の外面に突出部を形成し、該突出部を押して前記弾性片を外側に変形させることにより、前記係止片を前記案内溝から脱出させる構成としたことを特徴とする請求項１または請求項２記載のコントロールケーブルのアウタケーシング端末固定装置。
【発明の詳細な説明】
【０００１】
【産業上の利用分野】
本発明は、アウタケーシングにインナケーブルを摺動自由に挿通したコントロールケーブルのアウタケーシングの端末を取付板に位置調節可能に固定してインナケーブルの突出長さを調節するようにしたコントロールケーブルのアウタケーシング端末固定装置に関する。
【０００２】
【従来の技術】
従来、アウタケーシングの端末を取付板に位置調節可能に固定するには、アウタケーシングの端末に固着したケーシングキャップの外周にねじを切って螺合したダブルナットで取付板を締め付けるのが最も確実な方法であったが、ダブルナットにスパナをかけて回すスペースが無い場合には実施ができなかった。
【０００３】
これに対し、ケーシングキャップに鋸歯列を形成し、これに爪を係止するようにしたオートアジャスタ機構はスペースがせまくても簡単に調節することができるが、プルタイプにしか適用することができず、プッシュプルタイプに適用するには三角山形の歯列を使用しなければならないため、爪に適正な荷重をかけるのに構造が複雑になる欠点があった。
【０００４】
【発明が解決しようとする課題】
本発明が解決しようとする課題は、アウタケーシングの端末を取付板に狭いスペースでも容易、かつ、確実に位置調節して固定することができ、プルタイプのコントロールケーブルにも適用することができる装置を提供することである。
【０００５】
【課題を解決するための手段】
上記課題を解決するための手段として、請求項１の発明は、アウタケーシングに固着された筒状のケーシングキャップと、取付板に回転および軸方向の移動不能に固定されてケーシングキャップを収容する筒状のホルダとからなり、そのホルダの内周とケーシングキャップの外周には一定の角度範囲において互いに干渉せず、そのケーシングキャップの回転により互いに係合する少なくとも一方が軸方向に複数条並んだ円弧条が形成され、そのケーシングキャップの外周に長さ方向の案内溝が形成されているとともに、ホルダには、弾性片によりケーシングキャップの外周に押し付けられ、そのケーシングキャップの回転により円弧条同士が係合した状態において案内溝に弾力により嵌入してそのケーシングキャップの回転を阻止する係止体が形成されている構成とし、請求項２の発明は、請求項１の発明において、ホルダの外周と取付板の取付孔を非円形にして回転不能に嵌合し、かつ、ホルダの取付孔への挿入方向後端部の外周に鍔を形成するとともに、ホルダに、取付孔への挿入時にその取付孔の孔縁との係合により弾性変形してそのホルダの外周面内に退避する突起を鍔から取付板の厚さに相当する間隙をあけて設けた構成とし、請求項３の発明は、請求項１または請求項２の発明において弾性片の内面に、案内溝に挿入された係止解除棒により押されて係止体を弾力に抗してその案内溝から脱出させる斜面が形成されている構成とし、請求項４の発明は、請求項１または請求項２の発明において、弾性片の外面に突出部を形成し、その突出部を押して弾性片を外側に変形させることにより、係止片を案内溝から脱出させる構成とした。
【０００６】
【発明の作用及び効果】
本発明は上記構成になり、請求項１の発明は、ケーシングキャップをその円弧条がホルダの円弧条に干渉しない角度でホルダに挿入し、インナケーブルの突出量が適正値になったところで回転させて円弧条同士を係合させると、係止体が案内溝に嵌入して回転不能となり、ケーシングキャップがホルダに確実に固定され、請求項２の発明は、ホルダを取付孔に整合させて押し込むと突起が弾性変形により外周面内に退避してホルダが鍔に当たるまで挿入され、それと同時に突起が弾力により外周面上に突出するのであり、ホルダを取付板にきわめて簡単に回動及び脱出不能に取り付けることができ、請求項３の発明は、係止解除棒により係止体を案内溝から外すことによってケーシングキャップを回して円弧条同士の係合を解除し、ケーシングキャップを移動させて再調節することができ、請求項４の発明は、突出部を押すことにより係止体を案内溝から外すことができ、ケーシングキャップの固定位置を容易に再調節することができる。
【０００７】
【実施例】
以下、本発明の一実施例を添付図面に基づいて説明する。
【０００８】
図において、１は可撓性を有するアウタケーシング２に、先端に端末金具３０を固着したインナケーブル３を摺動自由に挿通したコントロールケーブルであって、アウタケーシング２の端末には、図１に示すように、円筒形のケーシングキャップ４がインサート成形またはかしめ付けにより、一体的に固着されている。ケーシングキャップ４の外周には、図７に示すように、平行２面５、５が形成され、その平行２面５、５の中央部には全長にわたって案内溝６、６が形成されており、基端部には縮径部７、７が形成されて突条８、８が構成されており、基端部寄りの円弧部分には多数の三角山形の円弧状１０が一定間隔で形成されている。
【０００９】
図７において、１１は取付板１２に形成された取付孔１３に嵌着されるホルダであって、基端に鍔１５が形成されてされているとともに、鍔１５に接続して取付孔１３に緊密に嵌合する大径部１６が形成されており、また、基端から先端近くまで取付孔１３の上部に形成された凹部１４に緊密に嵌合する突部１７が形成され、その先がテーパー部１８となっている。
【００１０】
さらに、ホルダ１１の突部１７と９０°をなす２位置には鍔１５との間に取付板１２の厚さにほぼ一致する幅の窓孔１９が形成されてその両端から先端近くまで細い溝２０、２０が形成され、窓孔１９を介して鍔１５に対応する突起２１が形成されているとともに、突起２１の先端側には斜面２２が形成されて突起２１の先端側には長コ字形の溝２４が形成されることにより突起２１が半径方向に弾性変形する弾性片２８、２８が構成されるとともに、その弾性片２８、２８の間に突起２１を基端とする弾性片２３が構成され、図１に示すように、その先端の内面に係止体２５とこれに続く斜面２６が形成され、また、ホルダ１１の内周面の係止体２５と９０°をなす位置には、図１０に示すように、三角山形の多数の円弧条２７が形成されており、鍔１５の突部１７の裏側には突面２９が形成されている。
【００１１】
次に、本実施例の組み付け方法について説明すると、まず、ホルダ１１の突部１７を取付板１２の凹部１４に整合させて取付孔１３に嵌入すると、図１０に示すように、斜面２２が取付孔１３の孔縁に当たり、突起２１、２１が孔縁にはまるまで弾性片２８、２８が弾性変形し、突起２１、２１が取付孔１３を通過すると、突起２１、２１が弾力により復元して鍔１５との間で取付板１２を挟んで凹部１４と突部１７との嵌合により回転および軸方向の移動不能にホルダ１１が取付板１２に固定される。
【００１２】
次に、ケーシングキャップ４を、その案内溝６をホルダ１１の鍔１５の突面２９に合わせてホルダ１１内に挿入すると、図３に示すように、平行２面５、５がホルダ１１の円弧条２７、２７に対応してケーシングキャップ４の円弧条１０、１０と干渉しないため、ケーシングキャップ４をホルダ１１内に任意の深さまで挿入することができ、このとき、図１、図２に示すように、係止体２５は弾性片２３の変形によりケーシングキャップ４の外周に押し付けられている。
【００１３】
任意の挿入深さにおいて、突条８に指を掛けてケーシングキャップ４を９０°回転させるとホルダ１１の円弧条２７にケーシングキャップ４の円弧条１０がかみ合い、図５に示すように、係止体２５、２５が案内溝６、６、内に嵌入してケーシングキャップ４がホルダ１１に回転不能に固定され、軸方向の移動も不能となる。
【００１４】
ホルダ１１の円弧条２７とケーシングキャップ４の円弧条１０の端縁は互いに干渉しないように、図８に示すように、面取りがなされている。
【００１５】
インナケーブル３の突出量を再調節する場合には、図１１に示すように、Ｕ字形の係止解除棒３１をケーシングキャップ４の案内溝６、６内に挿入すると、その先端が弾性片２３の斜面２６を押して係止体２５、２５が案内溝６、６から脱出し、回転自由になるため、ケーシングキャップ４を少し回して係止体２５、２５をケーシングキャップ４の外周に当てた後、係止解除棒３１を抜き出し、さらに回転させて円弧条１０をホルダ１１の円弧条２７から外し、ケーシングキャップ４を軸方向に移動させ、任意の位置で上記と同様の操作を行いケーシングキャップ４をホルダ１１に固定する。
【００１６】
図１２、１３に本発明の他の実施例を示す。
【００１７】
本実施例はホルダ１１の弾性片２３、２３の先端部外周に突出部３２、３２が形成されているとともに、取付板１２の取付孔１３の両横には突出部３２、３２の通過を許容する逃げ溝３３、３３が形成されており、インナケーブル３の突出量を再調節する場合には、図１３に示すように、突出部３３、３３を押すと弾性片２３、２３が弾性変形して係止体２５、２５が案内溝６、６から脱出し、回転自由になるため、ケーシングキャップ４を少し回して突出部３３、３３の押圧を解除することにより係止体２５、２５をケーシングキャップ４の外周に当てた後、さらに回転させて円弧条１０をホルダ１１の円弧条２７から外してケーシングキャップ４を軸方向に移動させ、任意の位置で上記と同様の操作を行いケーシングキャップ４をホルダ１１に固定する。
【００１８】
その他の構成は上記実施例と同一である。
【図面の簡単な説明】
【図１】本発明の一実施例のケーシングキャップ４をホルダ１１に嵌入する途中の平断面図である。
【図２】図１のＡ−Ａ断面図である。
【図３】図１のＢ−Ｂ断面図である。
【図４】ケーシングキャップ４をホルダ１１に嵌着した状態の側断面図である。
【図５】図４のＣ−Ｃ断面図である。
【図６】図４のＤ−Ｄ断面図である。
【図７】分解斜視図である。
【図８】円弧条１０、２７のかみ合い前の拡大断面図である。
【図９】ケーシングキャップ４をホルダ１１に嵌着した状態の一部切欠斜視図である。
【図１０】ホルダ１１を取付板１２を取り付ける状態の平断面図である。
【図１１】ケーシングキャップ４をホルダ１１から外す状態の一部切欠斜視図である。
【図１２】本発明の他の実施例の分解斜視図である。
【図１３】その縦断面図である。
【符号の説明】
１：コントロールケーブル
２：アウタケーシング
３：インナケーブル
４：ケーシングキャップ
６：案内溝
１０：円弧条
１１：ホルダ
１２：取付板
１５：鍔
２１：突起
２２：斜面
２３：弾性片
２５：係止体
２６：斜面
２７：円弧条
２８：弾性片
３１：係止解除棒
３２：突出部
【図１】
0003650163.tif 000002
【図２】
0003650163.tif 000003
【図３】
0003650163.tif 000004
【図４】
0003650163.tif 000005
【図５】
0003650163.tif 000006
【図６】
0003650163.tif 000007
【図７】
0003650163.tif 000008
【図８】
0003650163.tif 000009
【図９】
0003650163.tif 000010
【図１０】
0003650163.tif 000011
【図１１】
0003650163.tif 000012
【図１２】
0003650163.tif 000013
【図１３】
0003650163.tif 000014